(57)【特許請求の範囲】
【請求項１】
放射状に配置された親骨の基部が回動自在に枢着されている固定ロクロと、上記親骨の中間に上端を枢着された受骨の基部が回動自在に枢着されている移動ロクロと、を備えた複数組のロクロ構造が、１本の心棒へ互いに離隔されるように取り付けられた複合ロクロであって、上下に隣接する上記移動ロクロは、上記親骨及び受骨の間において上記固定ロクロへ干渉しないように互いに連結棒で連結され、上記複数組のロクロ構造に含まれる親骨のうち、上下に平行な親骨の先端に一連の縦骨を枢着したことを特徴とする、複合ロクロの連動構造。
【発明の詳細な説明】
【技術分野】
【０００１】
本発明は、１本の支柱の複数個所に放射状に配置されている骨を一斉に開閉させることが可能な複合ロクロの連動構造に関する。
【背景技術】
【０００２】
特許文献１には、スライダー３、複数の支柱５、複数のブランチ７で構成されるユニット１６，１７，１８が垂直方向に複数個配置された装飾品が記載されている。
【先行技術文献】
【特許文献】
【０００３】
【特許文献１】実開平５−３１９９９号公報
【発明の概要】
【発明が解決しようとする課題】
【０００４】
しかしながら、上記した特許文献１記載の装飾品は、第１のユニット１６、第２のユニット１７、第三のユニット１８とそれぞれブランチ７の開く角度を異ならせることで、各ユニットの開き角を変化させるため、それぞれのスライダーは独立していて、個別に操作しないとブランチを開かせることができない構造であった。
【０００５】
しかも、第１ユニット１６のスライダー３は手が届かない高さにあるが、センターポールへ梯子を掛けることはできないので、センターポールを第１ユニット１６のスライダー３へ手が届くまで程度まで倒して支え、スライダーを動かしてブランチを開かせる操作は別の人が行なわなければならないから、ユニットのセットに多くの人手と時間を要し、ユニットのリセットも同様に人手と時間を要する問題点があった。
【０００６】
そこで、本発明は、複数組の移動ロクロを連結棒で連結することで、心棒を立てて置いて最下部の移動ロクロを昇降させれば、全部の移動ロクロが連動して、複数組の骨の一斉に開閉させることができて、セット、リセットに要する人手と時間の大幅な削減が達成されるようにした複合ロクロの連動構造を提供することを課題とする。
【課題を解決するための手段】
【０００７】
前記課題を解決するため、請求項１に係る発明は、放射状に配置された親骨の基部が回動自在に枢着されている固定ロクロと、上記親骨の中間に上端を枢着された受骨の基部が回動自在に枢着されている移動ロクロと、を備えた複数組のロクロ構造が、１本の心棒へ互いに離隔されるように取り付けられた複合ロクロであって、上下に隣接する上記移動ロクロは、上記親骨及び受骨の間において上記固定ロクロへ干渉しないように互いに連結棒で連結され、上記複数組のロクロ構造に含まれる親骨のうち、上下に平行な親骨の先端に一連の縦骨を枢着したことを特徴とする。
【０００８】
【発明の効果】
【０００９】
請求項１に係る発明によれば、複合ロクロを支持させた心棒を支持台上に立て、複合ロクロの最下部の移動ロクロを押し上げれば、この移動ロクロと連結棒で連結された他の移動ロクロが連動して、受骨による親骨の開きを同時に行なわせ、また、最下部の移動ロクロを引き下げれば、他の移動ロクロが連動して、受骨による親骨の閉じを同時に行なわせるから、複合ロクロを利用して構成した各種製品のセット及びリセットを一人で迅速、容易に行うことができる。
【００１０】
また、縦方向に骨部材を設けることができるので、各種の折り畳み可能な立体品を簡便に製作することができる。
【図面の簡単な説明】
【００１１】
【図１】本発明の基本的構造を説明する図であって、複合ロクロの連動構造の骨が広げられた正面図
【図２】本発明の基本的構造を説明する図であって、複合ロクロの連動構造の骨が閉じられた正面図
【図３】本発明の基本的構造を説明する図であって、親骨と受骨の拡大正面図
【図４】本発明の基本的構造を説明する図であって、固定ロクロを拡大して示す平面図
【図５】本発明の基本的構造を説明する図であって、移動ロクロを拡大して示す平面図
【図６】本発明の基本的構造を説明する図であって、複数の移動ロクロが連結棒で連結された拡大斜視図
【図７】実施例１に係る図であって、複合ロクロの連動構造で製作された三重の傘が広げられた正面図
【図８】実施例１に係る図であって、三重の傘が閉じられた正面図
【図９】実施例２に係る図であって、複合ロクロの連動構造で製作された模造樹木が枝葉を広げられた正面図
【図１０】実施例２に係る図であって、模造樹木が枝葉を閉じられた正面図
【図１１】実施例３に係る図であって、複合ロクロの連動構造で製作された商品等の陳列棚が親骨を広げて棚板を支持させた正面図
【図１２】実施例３に係る図であって、商品陳列棚が棚板を外され、親骨を閉じられた正面図
【図１３】実施例３に係る図であって、陳列棚に使用された棚板が切込とその蓋を備えたタイプである斜視図
【図１４】実施例３に係る図であって、陳列棚に使用された棚板が２分割されたタイプである斜視図
【図１５】実施例４に係る図であって、複合ロクロの連動構造に縦骨を加えることで製作された洋服掛の胴部が広げられた正面図
【図１６】実施例４に係る図であって、洋服掛の胴部が閉じられた正面図
【図１７】実施例４に係る図であって、洋服掛の胴部を楕円形に形成させるため親骨に寸法差が付けられた平面図
【図１８】実施例４に係る図であって、上記親骨に寸法差を付けるのに適した親骨の構造を示す説明図
【図１９】実施例５に係る図であって、複合ロクロの連動構造に縦骨を加えることで製作された模造クリスマスツリーが広げられた正面図
【図２０】実施例５に係る図であって、模造クリスマスツリーが閉じられた正面図
【図２１】実施例５に係る図であって、同上模造クリスマスツリーの各親骨の先端へ取り付けられた縦骨が、各受部の間で上側と下側の親骨の長さの差で生ずる移動の速度と距離の差を吸収される態様を示した説明図
【発明を実施するための形態】
【００１２】
以下に本発明に係る複合ロクロＡの連動構造について、図面を参照しつつ説明する。
【００１３】
図１、図２に示すように、本発明に係る連動構造を採用した複合ロクロＡは、放射状に配置された親骨１の基部２が、回動自在に枢着されている固定ロクロ３と、上記親骨１の中間部に上端を枢着された受骨４の基部５が、回動自在に枢着されている移動ロクロ６の複数組が、１本の心棒７へ離隔するように取り付けられたものであって、これら複合ロクロＡの各移動ロクロ６は、上記親骨１及び受骨４の間において、上記固定ロクロ３へ干渉しないように連結棒８で連結されている。
【００１４】
上記親骨１は、断面を筒形、Ｕ字形等に形成して必要な強度が得られるようにし、図３に示す通り基部２は薄い板状とされて、その中心部に後述する取付軸１２を通す孔９を開けられ、中間部には上記受骨４の上端を枢着する受部１０を形成されている。
【００１５】
上記固定ロクロ３は、図４に示す通り周囲に親骨１の基部２を嵌合させる複数の溝１１を放射状に形成され、これら溝１１に対応させて周囲には、親骨１の基部２に開けられた孔９に通された取付軸１２を係合させる半円溝１３を形成されている。そして、この固定ロクロ３は、中心に開けられた孔１４を心棒７へ嵌合して、止ねじ１５で心棒７の定位置へ固定される。
【００１６】
上記受骨４は親骨１と同様の強度を有すように形成されて、図４に示す通り基部５と先端１６を薄い板状とされ、基部５の中心部には後述する取付軸２１を通す孔１７をあけられ、先端１６の中心部には、親骨１の受部１０へ取り付ける枢軸１８を通す孔１９を開けられている。
【００１７】
上記移動ロクロ６は、図５に示す通り周囲に受骨４の基部５を嵌合させる複数の溝２０を放射状に形成され、これら溝２０に対応させて周囲には、受骨４の基部５に開けられた孔１７に通された取付軸２１を係合させる半円溝２２が形成されている。そして、この移動ロクロ６は、中心に開けられた孔２３を心棒７へ嵌合して、心棒７に沿って上下に自在な移動が可能となるように形成されている。なお、移動ロクロ６の最下位のものは、下側に握り部２４を付設されて、この握り部２４にはハンドル付ねじ２５を螺合させ、このねじ２５を緩めれば移動ロクロ６が自在に動かされるが、締め付ければ移動ロクロ６が固定されるように形成されている。
【００１８】
上記連結棒８は、親骨１及び受骨４の間において、上記固定ロクロ３へ干渉しないように配置するという条件が満たされるように、各移動ロクロ６に固定ロクロ３より径を大きくした鍔部２６を付設して、この鍔部２６の周囲に３本以上（本実施形態においては４本）が等間隔で取り付けられる。この連結棒８は、断面形状をＴ形、コ字形等とした取付部を備え、この取付部が鍔部２６に形成された溝２７へ嵌合することで、コンパクトで堅牢な連結が行なわれるようになっている。
【００１９】
上記心棒７は、図２に示すように、その下端を充分な面積と重量を有する支持台２８へ嵌合固定することにより、通常の風や地震等では転倒することなく直立状態を保持されているようにしてある。また、この心棒７には、最下位の移動ロクロ６の上側において、親骨１が開き過ぎになるのを防止させるストッパー２９が取り付けられている。
【００２０】
上記構成の複合ロクロＡの連動構造は、支持台２８に支持されて直立する心棒７に複数組が取り付けられている複合ロクロＡの各親骨１が、図２に示す通り閉じられている状態で、最下位の移動ロクロ６を握り部２４によって押し上げると、この移動ロクロ６と連結棒８で連結された他の移動ロクロ６も同時に押し上げられて、これら移動ロクロ６に基部５を枢着されている各受骨４を同時に上昇させるから、各受骨４は上端で各親骨１の中間部を押し上げて、全部の親骨１を図１に示す通り一斉に開かせるもので、この態様において、握り部２４をハンドル付ねじ２５によって心棒７へ固定して置けば、各親骨１は開かれた状態に保持されている。
【００２１】
そして、上記の通り開かれている各親骨１を閉じさせるときは、最下位の移動ロクロ６の握り部２４を心棒７に固定しているハンドル付ね２５を緩めて、最下位の移動ロクロ６を握り部２４を持って引き下げれば、この移動ロクロ６と連結棒８で連結された他の移動ロクロ６も同時に引き下げられて、これら移動ロクロ６に基部５を枢着されている各受骨４を下降させるから、これら受骨４は下降により各親骨１の中間部を引き下げて、全部の親骨１は図２に示す通り一斉に閉じさせるものである。
【００２２】
次に本発明に係る複合ロクロＡの連動構造を採用した製品の数種類の実施例について説明する。（実施例１）
この実施例は、上記構成の複合ロクロＡの連動構造における複数組の各親骨１の上側に襞付きの布又はシート等の被覆材３０を張り、これら被覆材３０の各親骨１に対応する部分の両端を親骨１へ止め付けることで、広告用の三重の傘Ｂを形成させたものであって、この三重の傘Ｂは、図７、図８に示す通り心棒７の下端を支持台２８に支持させて立て、図８のように親骨１が閉じられている場合は、最下位の移動ロクロ６を付設された握り部２４を持って押し上げると、この移動ロクロ６と連結棒８で連結された他の移動ロクロ６も同時に押し上げられて、それぞれが受骨４を上昇させ、その先端で各親骨１の中間部を押し上げるから、複数組の親骨１は図６に示す通り同時に開かれて、上側に張られた襞付きの被覆材３０を広がらせ、三重の傘Ｂを一挙に出現させる。
【００２３】
一方、広げた被覆材３０を畳むときは、最下位の移動ロクロ６を握り部２４を持って引き下げると、これと連結棒８で連結された他の移動ロクロ６も引き下げられて、それぞれが受骨４で各組の各親骨１を同時に閉じさせるから、上側に張られた被覆材３０も一挙に心棒７の周囲へ畳み付けられる。なお、この三重の傘Ｂは、一般家屋の屋根より突出して広告の効果を上げるには高さが不十分であるから、五重の傘にすることが好ましい。（実施例２）
この実施例は、上記構成の複合ロクロＡの連動構造における複数組の各親骨１に、模造した樹木の枝葉３１を支持させることで、展示用の模造樹木Ｃを形成させたものであり、この模造樹木Ｃは、図９、図１０に示す通り心棒７の下端を鉢形の支持台２８に支持させて立て、各組の親骨１は、枝葉３１の基部を挿し込みで支持させられるように筒形、溝形等に形成して枝葉３１の簡単で確実な支持が行なわれるようにする。そして、図１０に示す通り親骨１が閉じている状態で、最下位の移動ロクロ６を握り部２４を持って押し上げると、この移動ロクロ６と連結棒８で連結された他の移動ロクロ６が同時に押し上げられて各受骨４を上昇させ、各々の先端で親骨１の中間部を押し上げるから、複数組の各親骨１が図８に示す通り同時に開かれて、先端に支持されている模造の枝葉３１を外側へ張り出させ、心棒７の周囲に枝葉３１が茂った模造樹木Ｃを一挙に出現させる。
【００２４】
一方、張り出させた枝葉３１を畳むときは、最下位の移動ロクロ６を握り部２４を持って引き下げると、連結棒８で他の移動ロクロ６も同時に引き下げられて、各受骨４で各組の親骨１を同時に下降させて閉じさせるから、親骨１に支持された枝葉３１は一挙に心棒７の周囲へ畳み付けられる。（実施例３）
この実施例は、上記構成の複合ロクロＡの連動構造における複数組の親骨１を、棚板３２の支持腕とすることで、親骨１に支持された棚板３２に商品等を陳列する陳列棚Ｄを形成させたものであって、この陳列棚Ｄは、図１１、図１２に示す通り心棒７の下端を支持台２８に支持させて立て、図１２に示す通り親骨１が閉じている状態で、最下位の移動ロクロ６を握り部２４を持って押し上げると、この移動ロクロ６と連結棒８で連結された他の移動ロクロ６が同時に押し上げられて受骨４を上昇させ、受骨４の先端で親骨１の中間部を押し上げるから、複数組の各親骨１が図１１に示す通り同時に開かれて複数段の棚板３２の支持腕を一挙に構成させる。そして、これらの支持腕に棚板３２を設置することで、棚板３２の上に陳列が可能となる。
【００２５】
棚板３２としては、例えば図１３に示すようなものを使用すればよい。この棚板３２は、中心に心棒７や連結棒８を受け入れる孔３３が設けられるとともに、この孔３３から縁部にまで達する切込３４が設けられている。この棚板３２を支持腕に設置する際には、切込３４に心棒７や連結棒８を通して支持腕の上に配置し、その後に切込３４を蓋３５で塞げばよい。
【００２６】
また、図１３に示す棚板３２の代わりに図１４に示すような棚板３２を使用してもよい。この棚板３２は、２つの分割片を組み合わせて円形に形成されており、中心に心棒７や連結棒８を受け入れ可能な孔３３が設けられている。この棚板３２は、接合部材３６によって分割片が互いに開き方向に回動可能となっており、この棚板３２を支持腕に設置する際には、分割片を開き方向に回動させて支持腕の上に配置した後に、心棒７や連結棒８を挟み込むように分割片を閉じ方向に回動させればよい。
【００２７】
そして、陳列棚Ｄの移動や片付け等を行うときは、支持腕となっていた親骨１の上から棚板３２を取り外して、最下位の移動ロクロ６を握り部２４で引き下げると、この移動ロクロ６と連結棒８で連結された他の移動ロクロ６も同時に引き下げられて、受骨４による親骨１の閉じを一挙に行なわせるため、総べての親骨１が心棒７の周囲へ図１２に示す通り畳み付けられる。（実施例４）
この実施例は、上記構成の複合ロクロＡの連動構造における複数組の各親骨１を、図１７に示す通り、平面的な配置位置の違いで長さが異なるものとして、各親骨１の先端には、これらに対応させて設けられた受部３７を枢着することで、一連の縦骨３８が取り付けられ、これら縦骨３８の外側には襞付きの布、シート等の被覆体３９を取り付けることで、上記縦骨３８によって立体的な胴形を表現させる洋服掛Ｅを形成させたものであって、この洋服掛Ｅは、図１６に示す通り、心棒７の下端を支持台２８に支持させて立て、同図に示す通り縦骨３８が閉じられている状態で、最下位の移動ロクロ６を握り部２４を持って押し上げると、この移動ロクロ６と連結棒８で連結されている他の移動ロクロ６が同時に押し上げられて、各受骨４を上昇させ、先端で親骨１の中間部を押し上げるため、各親骨１は図１５に示す通り同時に開かれて、先端に取り付けられた縦骨３８を外側へ押し出して、各々の長短差により図１７に示す平面形状の胴形を形成させるから、この胴形に心棒７の上端に取り付けられた肩掛体４０に肩部を掛けた上衣を着せ付ければ、上衣の胴部は立体化されて人が着用した態様を表現する。
【００２８】
そして、洋服掛Ｅの移動や片付け等を行うときは、最下位の移動ロクロ６を握り部２４を持って引き下げると、この移動ロクロ６と連結棒８で連結された他の移動ロクロ６も同時に引き下げられて、受骨４による親骨１の閉じを一挙に行なわせるため、縦骨３８は親骨１によって図１６に示す通り心棒７の周囲へ畳み付けられる。
【００２９】
上記洋服掛Ｅにおいて、心棒７の上端に取り付けられた肩掛体４０は、胴部が上述の通り心棒７の周囲へ畳み付けられるときは、心棒７側へ折り畳まれることが好ましいから、肩掛体４０の心棒７へ取り付ける部分を、図１５の通り心棒７へ固定された固定ロクロ３とし、この固定ロクロ３の両側に基部４１を軸４２で固定ロクロ３へ枢着することにより起伏自在とした肩掛体４０を支持させる。そして、この肩掛体４０と上記移動ロクロ６を受骨４で連結し、移動ロクロ６の下側に付設された鍔部２６を、連結棒８で他の移動ロクロ６に付設された鍔部２６と連結すれば、上記胴部が図１６の通に心棒7へ畳み付けられるときは、肩掛体４０も心棒７側へ折り畳まれる。
【００３０】
また、上記洋服掛Ｅの縦骨３８で形成させる胴部の下側には、図１５、図１６に示す通りズボンの腰部を支持させる支持体４１を配置して、この支持体４１に腰部を嵌合させることでズボンを支持させれば、ズボンも支持体４１によって人が着用したときの態様を表現させることができる。
【００３１】
尚、この実施形態のように長さの異なる多種の親骨１を使用する場合は、親骨１を図１８（ａ）（ｂ）に示す通り、摺動可能に嵌合された直径差があるパイプａとパイプｂで半分ずつを形成して、両者の嵌合度を加減することで長さ調整ができるようにすれば、図８（ａ）から（ｂ）の範囲内では簡単に希望する長さを得ることができる。（実施例５）
この実施例は、上記構成の複合ロクロＡの連動構造における複数組の親骨１を、図１９に示す通り、上側のものは短く、下側のものは次第に長くなるように形成して、これら親骨１の先端に、各々に対応させて設けられた受部４４を枢着することで、上つぼまりに傾斜する縦骨４５を取り付けて、これら縦骨４５の外側には襞付きの布、シート等の被覆材４６を取り付けることで、円錐状の樹形をなすクリスマスツリーＦを形成させたものであって、このクリスマスツリーＦは、図１９、図２０に示す通り、心棒７の下端を支持台２８に支持させて立て、図２０に示す通り各親骨１が閉じられている状態で、最下位の移動ロクロ６を握り部２４を持って押し上げると、この移動ロクロ６と連結棒８で連結された他の移動ロクロ６が同時に押し上げられて、各受骨４を上昇させ、先端で親骨１の中間部を押し上げるため、各の親骨１は図１３に示す通り同時に開かれて、先端に取り付けられた縦骨４５を外側へ押し出して広がらせようとする。
【００３２】
ところで、各組の親骨１は上記の通り長短差を付けられているため、これら親骨１の先端が枢着されている縦骨４５の各受部４４には、各親骨１で動かされる速さと距離に相違が生じて、この差異を吸収させないと縦骨４５は動けない。そこで、縦骨４５に設けられた各受部４４の間には、図２１に示す通り、一方をパイプｃとし、他方を該パイプｃに嵌合する心棒ｄとすることで、上記移動の速さと距離の差が増すと図２１（ａ）に示す状態から（ｂ）に示す状態にパイプｃから心棒ｄが抜け出して、縦骨４５を伸ばすことで縦骨４５が支障なく広げられて円錐状の樹形をなすようにしてある。
【００３３】
上記の通り円錐状の樹形をなすように広げられた縦骨４５を閉じさせるには、最下位の移動ロクロ６を握り部２４を持って引き下げると、この移動ロクロ６と連結棒８で連結された他の移動ロクロ６も同時に引き下げられて、受骨４による親骨１の閉じを一挙に行なわせるため、縦骨４５は親骨１によって閉じられるが、この場合も各親骨１の先端が枢着されている縦骨４５は、各受部４４の間で図２１（ｂ）に示す状態から同図（ａ）に示す状態に心棒ｄがパイプｃ内へ入り込んで、縦骨４５の長さを縮まらせる操作が行われるため、縦骨４５は支障なく閉じられて図２０に示す通り心棒７の周囲へ畳み付けられる。
【符号の説明】
【００３４】
１  親骨
２  基部
３  固定ロクロ
４  受骨
５  基部
６  移動ロクロ
７  心棒
８  連結棒
９  孔
１０  受部
１１  溝
１２  取付軸
１３  半円溝
１４  孔
１６  先端
１７  孔
１８  枢軸
１９  孔
２０  溝
２１  取付軸
２２  半円溝
２３  孔
２４  握り部
２６  鍔部
２７  溝
２８  支持台
２９  ストッパー
３０  被覆材
３１  枝葉
３２  棚板
３３  孔
３４  切込
３５  蓋
３６  接合部材
３７  受部
３８  縦骨
３９  被覆体
４０  肩掛体
４１  支持体
４２  受部
４３  縦骨
４４  受部
４５  縦骨
４６  被覆材
Ａ  複合ロクロ
Ｂ  傘
Ｃ  模造樹木
Ｄ  陳列棚
Ｅ  洋服掛
Ｆ  クリスマスツリー
ａ  パイプ
ｂ  パイプ
ｃ  パイプ
ｄ  心棒
【図１】
0005945458.tif 000002
【図２】
0005945458.tif 000003
【図３】
0005945458.tif 000004
【図４】
0005945458.tif 000005
【図５】
0005945458.tif 000006
【図６】
0005945458.tif 000007
【図７】
0005945458.tif 000008
【図８】
0005945458.tif 000009
【図９】
0005945458.tif 000010
【図１０】
0005945458.tif 000011
【図１１】
0005945458.tif 000012
【図１２】
0005945458.tif 000013
【図１３】
0005945458.tif 000014
【図１４】
0005945458.tif 000015
【図１５】
0005945458.tif 000016
【図１６】
0005945458.tif 000017
【図１７】
0005945458.tif 000018
【図１８】
0005945458.tif 000019
【図１９】
0005945458.tif 000020
【図２０】
0005945458.tif 000021
【図２１】
0005945458.tif 000022